(57)【要約】  煩雑な認証操作を強いずに高いセキュリティを確保可能かつアクティブ型ＲＦＩＤタグの電力消費量を低減可能な入退室管理装置を提供する。このため、入退室管理装置において、個人毎に固有の認証情報が予め記憶された第１のタグと、内蔵電源により無線信号を発信する第２のタグと、認証操作により第１のタグの認証情報を取得する認証情報取得手段と、所定のタグ検出範囲内の第２のタグを無線信号により検出する検出手段と、認証情報取得手段により取得された第１のタグの認証情報を照合した結果に基づいて扉の施解錠状態を制御する制御手段とを備え、第２のタグは、検出手段からの起動信号を受け起動して無線信号を発信するようになり、制御手段は、前記照合に成功した場合に、起動信号を発信させて第２のタグを起動し、さらに検出手段による検出結果を確認し、検出結果に基づいて扉の施解錠状態を制御する。
2012131930.tif 000002
【特許請求の範囲】
【請求項１】
所持する個人毎に固有の認証情報が予め記憶された第１のタグと、
前記個人に所持され、内蔵された電源により無線信号を発信する第２のタグと、
前記個人による所定の認証操作により、前記第１のタグの前記認証情報を取得する認証情報取得手段と、
少なくとも１人の前記個人が入る程度の面積を持つタグ検出範囲内の、前記第２のタグを前記無線信号により検出する検出手段と、
扉の解錠を許可する前記認証情報を予め記憶する記憶手段と、
前記認証情報取得手段により取得された前記第１のタグの前記認証情報と前記記憶手段に記憶された前記認証情報とを照合した結果に基づいて前記扉の施解錠状態を制御する制御手段と、を備え、
前記第２のタグは、前記検出手段からの起動信号を受信すると、待機状態から起動状態に移行して、前記無線信号を発信するようになり、
前記制御手段は、前記照合に成功した場合に、前記検出手段から前記起動信号を発信させて前記第２のタグを待機状態から起動状態に移行させ、さらに前記検出手段による検出結果を確認し、前記検出結果に基づいて前記扉の施解錠状態を制御することを特徴とする入退室管理装置。
【請求項２】
前記制御手段は、前記照合に成功した場合に、前記検出手段から前記起動信号を発信させて前記第２のタグを待機状態から起動状態に移行させ、さらに前記検出手段による検出結果を確認し、前記検出手段により前記タグ検出範囲内に検出された前記第２のタグの数が１つであるときに前記扉を解錠することを特徴とする請求項１に記載の入退室管理装置。
【請求項３】
前記第２のタグは、これを所持する前記個人の前記認証情報が予め記憶され、かつ、前記認証情報を前記無線信号により発信し、
前記検出手段は、前記タグ検出範囲内の、前記第２のタグの前記認証情報を前記無線信号により取得し、
前記制御手段は、前記照合に成功した場合に、前記検出手段から前記起動信号を発信させて前記第２のタグを待機状態から起動状態に移行させ、さらに前記検出手段による検出結果を確認し、前記検出手段により取得された前記第２のタグの前記認証情報が前記照合に成功した前記第１のタグの前記認証情報と同一であるか否かの判定を行い、前記判定により前記第２のタグの前記認証情報が前記第１のタグの前記認証情報と同一であると判定した場合に前記扉を解錠することを特徴とする請求項１に記載の入退室管理装置。
【請求項４】
前記制御手段は、前記照合に成功した場合に、前記検出手段から前記起動信号を発信させて前記第２のタグを待機状態から起動状態に移行させ、さらに前記検出手段による検出結果を確認し、前記検出手段により前記タグ検出範囲内に検出された前記第２のタグの数が１つであるときに、さらに前記検出手段により取得された前記第２のタグの前記認証情報が前記照合に成功した前記第１のタグの前記認証情報と同一であるか否かの判定を行い、前記判定により前記第２のタグの前記認証情報が前記第１のタグの前記認証情報と同一であると判定した場合に前記扉を解錠することを特徴とする請求項３に記載の入退室管理装置。
【請求項５】
前記制御手段は、前記扉を解錠する際に、同時に前記検出手段から停止信号を発信させて前記第２のタグを起動状態から待機状態に移行させることを特徴とする請求項２から請求項４のいずれかに記載の入退室管理装置。
【発明の詳細な説明】
【技術分野】
【０００１】
この発明は、入退室管理装置に関するものである。
【背景技術】
【０００２】
従来における入退室管理装置においては、ＩＤカードに記憶された各個人に固有の認証情報を用いた認証と、認証対象となる個人の指紋等の生体情報を用いて本人認証を行う生体認証と、を組み合わせて用いることにより、高いセキュリティレベルを確保しようとする複合認証装置というものが知られている（例えば、特許文献１参照）。【０００３】
しかしながら、このような複合認証装置においては、ＩＤカードをかざす等の認証操作と指を生体認証装置上に載置する等の生体認証操作の双方を行う必要がある。従って、認証操作が煩雑であるという問題、例えばＩＤカードを用いた認証のみを行うセキュリティレベルの異なる他の扉を通行するときと認証操作が異なってしまうため煩わしいという問題や、正規の通行者が認証した際に正規でない他の人が一諸に通行してしまういわゆる共連れを防止することができないという問題等がある。【０００４】
そこで、この共連れを防止するために、マットセンサを用いて認証エリアにいる人数を検出し、１人のみが認証操作を行うことができるようにした入退室管理装置も、従来知られている（例えば、特許文献２参照）。【０００５】
また、従来においては、無線通信による個体識別いわゆるＲＦＩＤ（Ｒａｄｉｏ  Ｆｒｅｑｕｅｎｃｙ  Ｉｄｅｎｔｉｆｉｃａｔｉｏｎ）を用いた入退室管理装置も知られている（例えば、特許文献３参照）。そして、このようなＲＦＩＤを用いた入退室管理装置においては、利用者が携行するＲＦＩＤタグを認証装置から無線通信により送信される起動信号を受けて起動されるようにし、起動されたＲＦＩＤタグが認証装置へと認証情報を無線送信するようにすることで、ＲＦＩＤタグにおける電力消費量を低減しようとする技術が知られている（いわゆるアクティブ型と呼ばれるＲＦＩＤタグを用いたものである）。
【先行技術文献】
【特許文献】
【０００６】
【特許文献１】日本特開２００６−１１９７７５号公報
【特許文献２】日本特開２００６−１９５８８１号公報
【特許文献３】日本特開２００６−３５２７０３号公報
【発明の概要】
【発明が解決しようとする課題】
【０００７】
しかしながら、特許文献１に示された従来における入退室管理装置においては、前述したように、認証操作が煩雑であるという課題や共連れを防止することができないという課題がある。そして、特許文献２に示された従来における入退室管理装置においては、ＩＤカードの認証情報を用いた認証のみしか行われないため、ＩＤカードのみの偽造や盗難等によって不正に通行が可能になってしまうという課題がある。【０００８】
また、特許文献３に示された従来における入退室管理装置においては、認証装置からの起動信号の送信可能範囲内（人検知範囲内）に入ったＲＦＩＤタグが起動されるため、認証を行うつもりのない単なる通過者が当該範囲内を通過した場合に、意図せず当該通過者が携行するＲＦＩＤタグが起動されてしまい、無駄に電力が消費されてしまうという課題がある。【０００９】
この発明は、このような課題を解決するためになされたもので、利用者に煩雑な認証操作を強いることなく、高いセキュリティレベルを確保することが可能であるとともに、認証に用いるアクティブ型ＲＦＩＤタグにおける電力消費量を低減することができる入退室管理装置を得るものである。
【課題を解決するための手段】
【００１０】
この発明に係る入退室管理装置においては、所持する個人毎に固有の認証情報が予め記憶された第１のタグと、前記個人に所持され、内蔵された電源により無線信号を発信する第２のタグと、前記個人による所定の認証操作により、前記第１のタグの前記認証情報を取得する認証情報取得手段と、少なくとも１人の前記個人が入る程度の面積を持つタグ検出範囲内の、前記第２のタグを前記無線信号により検出する検出手段と、扉の解錠を許可する前記認証情報を予め記憶する記憶手段と、前記認証情報取得手段により取得された前記第１のタグの前記認証情報と前記記憶手段に記憶された前記認証情報とを照合した結果に基づいて前記扉の施解錠状態を制御する制御手段と、を備え、前記第２のタグは、前記検出手段からの起動信号を受信すると、待機状態から起動状態に移行して、前記無線信号を発信するようになり、前記制御手段は、前記照合に成功した場合に、前記検出手段から前記起動信号を発信させて前記第２のタグを待機状態から起動状態に移行させ、さらに前記検出手段による検出結果を確認し、前記検出結果に基づいて前記扉の施解錠状態を制御する構成とする。
【発明の効果】
【００１１】
この発明に係る入退室管理装置においては、利用者に煩雑な認証操作を強いることなく、高いセキュリティレベルを確保することが可能であるとともに、認証に用いるアクティブ型ＲＦＩＤタグにおける電力消費量を低減することができるという効果を奏する。
【図面の簡単な説明】
【００１２】
【図１】この発明の実施の形態１に係る入退室管理装置の全体構成を模式的に説明する図である。
【図２】この発明の実施の形態１に係る入退室管理装置の動作の流れを示すフロー図である。
【図３】この発明の実施の形態２に係る入退室管理装置の動作の流れを示すフロー図である。
【図４】この発明の実施の形態３に係る入退室管理装置の動作の流れを示すフロー図である。
【発明を実施するための形態】
【００１３】
実施の形態１．
図１及び図２は、この発明の実施の形態１に係るもので、図１は入退室管理装置の全体構成を模式的に説明する図、図２は入退室管理装置の動作の流れを示すフロー図である。
図１において、１は、当該入退室管理装置が設置された施設内において、仕切られて入退室制限が課された区画への出入口を開閉する扉である。この扉１は図示しない電気錠により施解錠される。
【００１４】
この扉１を通過しようとする個人は、ＩＤカード２及びハンズフリータグ３を携行している。これらのＩＤカード２及びハンズフリータグ３には、複数の個人の各々を一意に識別する認証情報が予め記憶されている。また、扉１の近傍には、入退室管理装置本体４が設置されている。この入退室管理装置本体４は、ＩＤカード認証装置５、ハンズフリータグ認証装置６、記憶装置７及び入退室制御装置８を備えている。
【００１５】
ＩＤカード認証装置５は、ＩＤカード２に記憶された認証情報を取得するためのものである。ＩＤカード２は、いわゆるパッシブ型のＲＦＩＤタグからなる非接触ＩＣカードである。そして、ＩＤカード２を所持する個人により、ＩＤカード認証装置５に対して所定の認証操作（ＩＤカード２をＩＤカード認証装置５にかざす等）が行われると、ＩＤカード認証装置５は、このＩＤカード２に記憶されている認証情報を取得する。
【００１６】
ハンズフリータグ認証装置６は、ハンズフリータグ３に記憶された認証情報を取得するためのものである。ハンズフリータグ３は、いわゆるアクティブ型のＲＦＩＤタグからなる。従って、このハンズフリータグ３内には、このハンズフリータグ３から無線信号を発信するための電力を供給する電池が内蔵されている。
【００１７】
ハンズフリータグ３には待受通信方式が採用されている。すなわち、ハンズフリータグ３は、通常時にはハンズフリータグ３から信号が発信されていない待受状態となっている。そして、ハンズフリータグ認証装置６からの起動信号を受信すると、ハンズフリータグ３は起動状態となる。起動状態となったハンズフリータグ３は、内蔵された電池の電力を用いて自身が記憶する認証情報を無線信号により定期的に発信する。ハンズフリータグ認証装置６は、このハンズフリータグ３から発信された無線信号を受信して、ハンズフリータグ３が記憶する認証情報を取得する。また、起動状態にあるハンズフリータグ３は、ハンズフリータグ認証装置６から発信される停止信号を受信すると、起動状態から待受状態へと移行する。そして、待受状態となったハンズフリータグ３は、無線信号の発信を停止する。
【００１８】
ハンズフリータグ３とハンズフリータグ認証装置６とによる通信可能範囲（タグ検出範囲）は少なくとも１人の利用者が入る程度の面積を持っている。そして、このタグ検出範囲内に個人が携行するハンズフリータグ３が入ると、ハンズフリータグ認証装置６からの起動信号を受けてハンズフリータグ３は起動される。起動されたハンズフリータグ３は認証情報を無線通信によりハンズフリータグ認証装置６へと送信し、ハンズフリータグ認証装置６はこのハンズフリータグ３から送信された認証情報を受け取る。従って、個人がハンズフリータグ３を携行した状態で、このタグ検出範囲内に入るだけで、ハンズフリータグ認証装置６によるハンズフリータグ３の記憶する認証情報の取得が実施される。
【００１９】
記憶装置７には、扉１の解錠及び通行を許可された個人の認証情報が予め記憶されている。
入退室制御装置８は、ＩＤカード認証装置５及びハンズフリータグ認証装置６の動作を制御して、ＩＤカード認証装置５により取得された認証情報、ハンズフリータグ認証装置６により取得された認証情報及び記憶装置７に記憶された認証情報を照合することにより認証処理を行う。
【００２０】
そして、この認証処理の結果、認証情報の照合に成功した場合には、入退室制御装置８は扉１の電気錠を解錠する。従って、扉１を開くことが可能となり、扉１の通行が許可される。なお、入退室管理装置本体４は、扉１の電気錠を解錠し扉１が開かれた場合、扉１が閉じられてから一定時間が経過すると自動的に扉１の電気錠を施錠する。また、一方、認証処理の結果、認証情報の照合に失敗した場合には、入退室制御装置８は扉１の電気錠が施錠された状態を維持する。従って、扉１を開くことはできず、扉１の通行が阻止される。
【００２１】
この実施の形態にあっては、入退室管理装置は、図２に示す一連のフローに従って動作する。
まず、ＩＤカード認証装置５に対してＩＤカード２による所定の認証操作（すなわち、ＩＤカード認証装置５に対してＩＤカード２をかざす等）が行われると（ステップＳ０）、ステップＳ１において、ＩＤカード認証装置５は当該認証操作が行われたＩＤカード２の認証情報を取得する。
【００２２】
そして、続くステップＳ２において、入退室制御装置８は、先のステップＳ１においてＩＤカード認証装置５により取得された認証情報と記憶装置７に記憶された認証情報とを照合して、ＩＤカード認証装置５により取得された認証情報の個人に扉１を通行する権限があるか否かを判断する。このステップＳ２において、ＩＤカード認証装置５により取得された認証情報の個人に扉１を通行する権限がないと判断された場合には、通行不許可としてステップＳ７へと移り、一連の認証処理は完了する。なお、この場合は、認証情報の照合に失敗しており、扉１の電気錠は施錠されたままである。
【００２３】
一方、ステップＳ２において、ＩＤカード認証装置５により取得された認証情報の個人に扉１を通行する権限があると判断された場合には、当該個人は通行許可個人であるとしてステップＳ３へと進む。このステップＳ３においては、入退室制御装置８は、当該通行許可個人の認証情報を一時的に記憶する。そして続くステップＳ４において、ハンズフリータグ認証装置６によりタグ検出範囲内にあるハンズフリータグ３の認証情報を取得する。
【００２４】
このステップＳ４においては、ハンズフリータグ認証装置６は、まず、起動信号を発信する。この起動信号を受けたハンズフリータグ３は待受状態から起動し、自身が記憶する認証情報を無線信号により発信する。ハンズフリータグ認証装置６は、このハンズフリータグ３から発信された無線信号を受信して、ハンズフリータグ３が記憶する認証情報を取得する。こうして、ハンズフリータグ３の認証情報を取得すると、ステップＳ５へと進む。
【００２５】
ステップＳ５においては、入退室制御装置８は、先のステップＳ４においてハンズフリータグ認証装置６により取得した認証情報が、先のステップＳ３において一時的に記憶した通行許可個人の認証情報と一致するか否か比較する。この比較において、ハンズフリータグ認証装置６により取得した認証情報が通行許可個人の認証情報と一致しなかった場合には、ステップＳ７へと移り一連の認証処理は完了する。なお、この場合は、認証情報の照合に失敗しており、扉１の電気錠は施錠されたままである。
【００２６】
一方、ステップＳ５での比較において、ハンズフリータグ認証装置６により取得した認証情報が通行許可個人の認証情報と一致した場合には、ステップＳ６へと進む。このステップＳ６においては、認証情報の照合に成功したとして、入退室制御装置８は、扉１の電気錠を解錠する。また、扉１の電気錠を解錠する際には、同時にハンズフリータグ認証装置６からハンズフリータグ３へと停止信号が発信される。この停止信号を受信したハンズフリータグ３は起動状態から待受状態へと移行して、無線信号の発信を停止する。そして、ステップＳ７へと至り、一連の認証処理は完了する。
【００２７】
以上のように構成された入退室管理装置は、所持する個人毎に固有の認証情報が予め記憶された第１のタグであるＩＤカードと、個人に所持され、内蔵された電源により無線信号を発信する第２のタグであるハンズフリータグと、個人による所定の認証操作により、第１のタグの認証情報を取得する認証情報取得手段であるＩＤカード認証装置と、少なくとも１人の個人が入る程度の面積を持つタグ検出範囲内の、第２のタグを無線信号により検出する検出手段であるハンズフリータグ認証装置と、扉の解錠を許可する認証情報を予め記憶する記憶手段と、認証情報取得手段により取得された第１のタグの認証情報と記憶手段に記憶された認証情報とを照合した結果に基づいて扉の施解錠状態を制御する制御手段と、を備え、第２のタグは、検出手段からの起動信号を受信すると、待機状態から起動状態に移行して、無線信号を発信するようになり、制御手段は、前記照合に成功した場合に、検出手段から起動信号を発信させて第２のタグを待機状態から起動状態に移行させ、さらに検出手段による検出結果を確認し、検出結果に基づいて扉の施解錠状態を制御するものである。
【００２８】
また、さらに、第２のタグであるハンズフリータグは、これを所持する個人の認証情報が予め記憶され、かつ、認証情報を無線信号により発信し、検出手段であるハンズフリータグ認証装置は、タグ検出範囲内の、第２のタグの認証情報を無線信号により取得し、制御手段は、前記照合に成功した場合に、検出手段から起動信号を発信させて第２のタグを待機状態から起動状態に移行させ、さらに検出手段による検出結果を確認し、検出手段により取得された第２のタグの認証情報が照合に成功した第１のタグの認証情報と同一であるか否かの判定を行い、この判定により第２のタグの認証情報が第１のタグの認証情報と同一であると判定した場合に扉を解錠するものである。
【００２９】
このため、利用者に煩雑な認証操作を強いることなく、高いセキュリティレベルを確保することが可能であるとともに、認証に用いるアクティブ型ＲＦＩＤタグにおける電力消費量を低減し、エネルギー消費量の削減を図ることができる。
【００３０】
実施の形態２．
図３は、この発明の実施の形態２に係るもので、入退室管理装置の動作の流れを示すフロー図である。
前述した実施の形態１は、ＩＤカードを用いた認証により通行を許可された個人であると認証された後に、ハンズフリータグへと起動信号を発信してハンズフリータグを起動させ、ハンズフリータグの認証情報と先に認証されたＩＤカードの認証情報とを比較するものであった。
【００３１】
ここで説明する実施の形態２は、ＩＤカードを用いた認証により通行を許可された個人であると認証された後に、ハンズフリータグへと起動信号を発信してハンズフリータグを起動させる点は、実施の形態１と同様であるが、その後、タグ検出範囲内にあるハンズフリータグの数を検出して、検出されたハンズフリータグの数が１であった場合のみ、扉の電気錠を解錠するようにしたものである。
【００３２】
すなわち、入退室管理装置の構成は、前述した実施の形態１と基本的に同一である。そして、この実施の形態にあっては、入退室管理装置は、図３に示す一連のフローに従って動作する。
まず、ＩＤカード認証装置５に対してＩＤカード２による所定の認証操作（すなわち、ＩＤカード認証装置５に対してＩＤカード２をかざす等）が行われると（ステップＳ１０）、ステップＳ１１において、ＩＤカード認証装置５は当該認証操作が行われたＩＤカード２の認証情報を取得する。
【００３３】
そして、続くステップＳ１２において、入退室制御装置８は、先のステップＳ１１においてＩＤカード認証装置５により取得された認証情報と記憶装置７に記憶された認証情報とを照合して、ＩＤカード認証装置５により取得された認証情報の個人に扉１を通行する権限があるか否かを判断する。このステップＳ１２において、ＩＤカード認証装置５により取得された認証情報の個人に扉１を通行する権限がないと判断された場合には、通行不許可としてステップＳ１６へと移り、一連の認証処理は完了する。なお、この場合は、認証情報の照合に失敗しており、扉１の電気錠は施錠されたままである。
【００３４】
一方、ステップＳ１２において、ＩＤカード認証装置５により取得された認証情報の個人に扉１を通行する権限があると判断された場合には、ステップＳ１３へと進む。このステップＳ１３においては、ハンズフリータグ認証装置６によりタグ検出範囲内にあるハンズフリータグ３の認証情報を取得する。
【００３５】
このステップＳ１３においては、ハンズフリータグ認証装置６は、まず、起動信号を発信する。この起動信号を受けたハンズフリータグ３は待受状態から起動し、自身が記憶する認証情報を無線信号により発信する。ハンズフリータグ認証装置６は、このハンズフリータグ３から発信された無線信号を受信して、ハンズフリータグ３が記憶する認証情報を取得する。こうして、ハンズフリータグ３の認証情報を取得すると、ステップＳ１４へと進む。
【００３６】
ステップＳ１４においては、入退室制御装置８は、先のステップＳ１３においてハンズフリータグ認証装置６により取得した認証情報の数が、１であるか否かを確認する。この確認において、ハンズフリータグ認証装置６により取得した認証情報の数が１でなかった場合には、ステップＳ１６へと移り一連の認証処理は完了する。なお、この場合は、認証情報の照合に失敗しており、扉１の電気錠は施錠されたままである。
【００３７】
一方、ステップＳ１４での確認において、ハンズフリータグ認証装置６により取得した認証情報の数が１であった場合には、ステップＳ１５へと進む。このステップＳ１５においては、入退室制御装置８は、扉１の電気錠を解錠する。また、扉１の電気錠を解錠する際には、同時にハンズフリータグ認証装置６からハンズフリータグ３へと停止信号が発信される。この停止信号を受信したハンズフリータグ３は起動状態から待受状態へと移行して、無線信号の発信を停止する。そして、ステップＳ１６へと至り、一連の認証処理は完了する。
【００３８】
なお、ハンズフリータグ３に代えて携帯電話等の携帯情報通信端末を用いて、扉１付近の人数を検出するようにすることもできる。この場合には、ハンズフリータグ認証装置６に代えて携帯情報通信端末の電波を検出する装置を設けて、携帯情報通信端末の電波に基づいて扉１付近の人数を検出する。
【００３９】
以上のように構成された入退室管理装置は、制御手段は、第１のタグであるＩＤカードによる照合に成功した場合に、検出手段であるハンズフリータグ認証装置から起動信号を発信させて第２のタグであるハンズフリータグを待機状態から起動状態に移行させ、さらに検出手段による検出結果を確認し、検出手段によりタグ検出範囲内に検出された第２のタグの数が１つであるときに扉を解錠するものである。
【００４０】
このため、利用者に煩雑な認証操作を強いることなく、共連れを未然に防止することが可能であるとともに、認証に用いるアクティブ型ＲＦＩＤタグにおける電力消費量を低減することができる。
【００４１】
実施の形態３．
図４は、この発明の実施の形態３に係るもので、入退室管理装置の動作の流れを示すフロー図である。
【００４２】
ここで説明する実施の形態３は、前述した実施の形態１と実施の形態２とを組み合わせたものである。すなわち、ＩＤカードを用いた認証により通行を許可された個人であると認証された後に、ハンズフリータグへと起動信号を発信してハンズフリータグを起動させ、タグ検出範囲内にあるハンズフリータグの数を検出して、検出されたハンズフリータグの数が１であった場合のみ、ハンズフリータグの認証情報と先に認証されたＩＤカードの認証情報とを比較するようにしたものである。
【００４３】
この実施の形態３においても入退室管理装置の構成は、前述した実施の形態１や実施の形態２と基本的に同一である。そして、この実施の形態にあっては、入退室管理装置は、図４に示す一連のフローに従って動作する。
まず、ＩＤカード認証装置５に対してＩＤカード２による所定の認証操作（すなわち、ＩＤカード認証装置５に対してＩＤカード２をかざす等）が行われると（ステップＳ２０）、ステップＳ２１において、ＩＤカード認証装置５は当該認証操作が行われたＩＤカード２の認証情報を取得する。
【００４４】
そして、続くステップＳ２２において、入退室制御装置８は、先のステップＳ２１においてＩＤカード認証装置５により取得された認証情報と記憶装置７に記憶された認証情報とを照合して、ＩＤカード認証装置５により取得された認証情報の個人に扉１を通行する権限があるか否かを判断する。このステップＳ２２において、ＩＤカード認証装置５により取得された認証情報の個人に扉１を通行する権限がないと判断された場合には、通行不許可としてステップＳ２８へと移り、一連の認証処理は完了する。なお、この場合は、認証情報の照合に失敗しており、扉１の電気錠は施錠されたままである。
【００４５】
一方、ステップＳ２２において、ＩＤカード認証装置５により取得された認証情報の個人に扉１を通行する権限があると判断された場合には、ステップＳ２３へと進む。このステップＳ２３においては、入退室制御装置８は、当該通行許可個人の認証情報を一時的に記憶する。そして続くステップＳ２４において、ハンズフリータグ認証装置６によりタグ検出範囲内にあるハンズフリータグ３の認証情報を取得する。
【００４６】
このステップＳ２４においては、ハンズフリータグ認証装置６は、まず、起動信号を発信する。この起動信号を受けたハンズフリータグ３は待受状態から起動し、自身が記憶する認証情報を無線信号により発信する。ハンズフリータグ認証装置６は、このハンズフリータグ３から発信された無線信号を受信して、ハンズフリータグ３が記憶する認証情報を取得する。こうして、ハンズフリータグ３の認証情報を取得すると、ステップＳ２５へと進む。
【００４７】
ステップＳ２５においては、入退室制御装置８は、先のステップＳ２４においてハンズフリータグ認証装置６により取得した認証情報の数が、１であるか否かを確認する。この確認において、ハンズフリータグ認証装置６により取得した認証情報の数が１でなかった場合には、ステップＳ２８へと移り一連の認証処理は完了する。なお、この場合は、認証情報の照合に失敗しており、扉１の電気錠は施錠されたままである。
【００４８】
一方、ステップＳ２５での確認において、ハンズフリータグ認証装置６により取得した認証情報の数が１であった場合には、ステップＳ２６へと進む。このステップＳ２６においては、入退室制御装置８は、先のステップＳ２４においてハンズフリータグ認証装置６により取得した認証情報が、先のステップＳ２３において一時的に記憶した通行許可個人の認証情報と一致するか否か比較する。この比較において、ハンズフリータグ認証装置６により取得した認証情報が通行許可個人の認証情報と一致しなかった場合には、ステップＳ２８へと移り一連の認証処理は完了する。なお、この場合は、認証情報の照合に失敗しており、扉１の電気錠は施錠されたままである。
【００４９】
一方、ステップＳ２６での比較において、ハンズフリータグ認証装置６により取得した認証情報が通行許可個人の認証情報と一致した場合には、ステップＳ２７へと進む。このステップＳ２７においては、認証情報の照合に成功したとして、入退室制御装置８は、扉１の電気錠を解錠する。また、扉１の電気錠を解錠する際には、同時にハンズフリータグ認証装置６からハンズフリータグ３へと停止信号が発信される。この停止信号を受信したハンズフリータグ３は起動状態から待受状態へと移行して、無線信号の発信を停止する。そして、ステップＳ２８へと至り、一連の認証処理は完了する。
【００５０】
以上のように構成された入退室管理装置は、実施の形態１及び実施の形態２の双方と同様の効果を併せ奏することができる。
【産業上の利用可能性】
【００５１】
この発明は、例えばＩＤカード等のパッシブ型ＲＦＩＤタグと例えばハンズフリータグ等の待受通信式アクティブ型ＲＦＩＤタグとの双方を併用した入退室管理装置に利用できる。
【符号の説明】
【００５２】
１    扉
２    ＩＤカード
３    ハンズフリータグ
４    入退室管理装置本体
５    ＩＤカード認証装置
６    ハンズフリータグ認証装置
７    記憶装置
８    入退室制御装置
【図１】
2012131930.tif 000003
【図２】
2012131930.tif 000004
【図３】
2012131930.tif 000005
【図４】
2012131930.tif 000006
【国際調査報告】
2012131930.tif 000007
2012131930.tif 000008